(57)【要約】【課題】撮影モードを選択する際に、ユーザーに分かりやすいサンプル画像を提供すること。【解決手段】撮影モードを設定するモード設定手段と、撮影した画像から、撮影モードに対応するサンプル画像を抽出する画像抽出手段と、前記モード設定手段による撮影モードの選択時に、サンプル画像を提示する提示手段とを具備する。【選択図】      図９
2006245798.tif 000002
【特許請求の範囲】
【請求項１】
撮影モードを設定するモード設定手段と、
撮影した画像から、撮影モードに対応するサンプル画像を抽出する画像抽出手段と、
前記モード設定手段による撮影モードの選択時に、サンプル画像を提示する提示手段とを具備することを特徴とする画像処理装置。
【請求項２】
被写体の光学像を光電変換して画像を撮影する撮影手段と、前記撮影手段により撮影した画像を記録する記録手段とを更に備え、
前記撮影した画像は静止画像及び動画像を含むことを特徴とする請求項１に記載の画像処理装置。
【請求項３】
前記画像抽出手段は、抽出した画像の倍率を変更して前記サンプル画像を生成することを特徴とする請求項１又は２に記載の画像処理装置。
【請求項４】
前記画像抽出手段は、前記サンプル画像を選択し前記記録手段に登録する選択手段を備え、
前記画像抽出手段は、前記選択手段によりサンプル画像の選択指示がなされた時に各撮影モードに対応するサンプル画像を前記記録手段に登録することを特徴とする請求項２又は３に記載の画像処理装置。
【請求項５】
前記提示手段は、前記モード設定手段で撮影モードを選択する際に、選択された撮影モードで撮影された画像を、サンプル画像とは区別して表示部の別領域に並べて表示することを特徴とする請求項１乃至４のいずれか１項に記載の画像処理装置。
【請求項６】
前記画像抽出手段は、撮影された画像からサンプル画像を抽出する条件として、各撮影モードにおいて撮影日時が最も新しい画像を抽出することを特徴とする請求項１乃至５のいずれか１項に記載の画像処理装置。
【請求項７】
前記画像抽出手段は、撮影された画像からサンプル画像を抽出する条件として、各撮影モードにおいてファイルサイズの最も大きい画像を抽出することを特徴とする請求項１乃至５のいずれか１項に記載の画像処理装置。
【請求項８】
前記画像抽出手段は、装置をシャットダウンする時に前記撮影された画像からサンプル画像を抽出し前記記録手段に登録することを特徴とする請求項２乃至７のいずれか１項に記載の画像処理装置。
【請求項９】
被写体の光学像を光電変換して画像を撮影する撮影手段と、
前記撮影手段により撮影した画像を記録する記録手段と、
前記記録手段に記録された画像の中から任意の画像を選択する選択手段と、
前記選択手段により選択された画像を撮影モードに対応するサンプル画像として登録する登録手段とを具備することを特徴とする画像処理装置。
【請求項１０】
撮影モードを設定するモード設定手段と、
前記モード設定手段による撮影モードの選択時に、サンプル画像を提示する提示手段とを更に具備することを特徴とする請求項９に記載の画像処理装置。
【請求項１１】
前記提示手段は、前記モード設定手段で撮影モードを選択する際に、選択された撮影モードで撮影された画像を、サンプル画像とは区別して表示部の別領域に並べて表示することを特徴とする請求項９又は１０に記載の画像処理装置。
【請求項１２】
撮影モードを設定するモード設定手段を有する画像処理装置の制御方法であって、
撮影した画像から、撮影モードに対応するサンプル画像を抽出する画像抽出工程と、
前記モード設定手段による撮影モードの選択時に、サンプル画像を提示する提示工程とを具備することを特徴とする制御方法。
【請求項１３】
前記画像処理装置は、被写体の光学像を光電変換して画像を撮影する撮影手段と、前記撮影手段により撮影した画像を記録する記録手段とを備え、
前記撮影した画像は静止画像及び動画像を含むことを特徴とする請求項１２に記載の制御方法。
【請求項１４】
前記画像抽出工程では、抽出した画像の倍率を変更して前記サンプル画像を生成することを特徴とする請求項１２又は１３に記載の制御方法。
【請求項１５】
前記画像抽出工程は、前記サンプル画像を選択し前記記録手段に登録する選択工程を備え、
前記画像抽出工程では、前記選択工程によりサンプル画像の選択指示がなされた時に各撮影モードに対応するサンプル画像を前記記録手段に登録することを特徴とする請求項１３又は１４に記載の制御方法。
【請求項１６】
前記提示工程では、前記モード設定手段で撮影モードを選択する際に、選択された撮影モードで撮影された画像を、サンプル画像とは区別して表示部の別領域に並べて表示することを特徴とする請求項１２乃至１５のいずれか１項に記載の制御方法。
【請求項１７】
前記画像抽出工程では、撮影された画像からサンプル画像を抽出する条件として、各撮影モードにおいて撮影日時が最も新しい画像を抽出することを特徴とする請求項１２乃至１６のいずれか１項に記載の制御方法。
【請求項１８】
前記画像抽出工程では、撮影された画像からサンプル画像を抽出する条件として、各撮影モードにおいてファイルサイズの最も大きい画像を抽出することを特徴とする請求項１２乃至１６のいずれか１項に記載の制御方法。
【請求項１９】
前記画像抽出工程では、装置をシャットダウンする時に前記撮影された画像からサンプル画像を抽出し前記記録手段に登録することを特徴とする請求項１３乃至１８のいずれか１項に記載の制御方法。
【請求項２０】
被写体の光学像を光電変換して画像を撮影する撮影手段と、前記撮影手段により撮影した画像を記録する記録手段とを備える画像処理装置の制御方法であって、
前記記録手段に記録された画像の中から任意の画像を選択する選択工程と、
前記選択工程にて選択された画像を撮影モードに対応するサンプル画像として登録する登録工程とを備えることを特徴とする制御方法。
【請求項２１】
撮影モードを設定するモード設定工程と、
前記モード設定工程による撮影モードの選択時に、サンプル画像を提示する提示工程を更に備えることを特徴とする請求項２０に記載の制御方法。
【請求項２２】
前記提示工程では、前記モード設定工程で撮影モードを選択する際に、選択された撮影モードで撮影された画像を、サンプル画像とは区別して表示部の別領域に並べて表示することを特徴とする請求項２０又は２１に記載の制御方法。
【請求項２３】
請求項１２乃至２２のいずれか１項に記載の制御方法を、画像を撮影、記録及び再生する画像処理装置に搭載されたコンピュータに実行させるためのプログラム。
【請求項２４】
請求項２３に記載のプログラムを記憶したことを特徴とするコンピュータ読み取り可能な記録媒体。
【発明の詳細な説明】
【技術分野】
【０００１】
本発明は、静止画像や動画像を撮像、記録、再生する画像処理装置及びその制御方法に関する。
【背景技術】
【０００２】
従来、固体メモリ素子を有するメモリカードを記録媒体として、静止画像や動画像を記録再生する電子カメラ等の画像処理装置は既に市販されており、カラー液晶パネル等の電子ファインダーを備える電子カメラも販売されている。
【０００３】
これらの電子カメラには、撮影シーンに応じて選択できる様々な撮影モード(ポートレート、風景等)を備えており、また各撮影モードの選択時には予め用意されたサンプル画像が表示されるので、ユーザーはそれを参考にしながら撮影モードを選択することで、撮影シーンに最適な設定で撮影を行うことができる。
【特許文献１】特開２００４−１２８８７８公報
【発明の開示】
【発明が解決しようとする課題】
【０００４】
しかしながら、これらの電子カメラでは、サンプルとして表示される画像が予め用意された画像なのでユーザーが直感的に理解しづらい場合があり、折角の機能が使用されないことがあった。
【０００５】
本発明は、撮影モードを選択する際に、ユーザーに分かりやすいサンプル画像を提供することを目的としている。
【課題を解決するための手段】
【０００６】
上記課題を解決し、目的を達成するために、本発明は、撮影モードを設定するモード設定手段と、撮影した画像から、撮影モードに対応するサンプル画像を抽出する画像抽出手段と、前記モード設定手段による撮影モードの選択時に、サンプル画像を提示する提示手段とを具備する。
【０００７】
また、本発明は、撮影モードを設定するモード設定手段を有する画像処理装置の制御方法であって、撮影した画像から、撮影モードに対応するサンプル画像を抽出する画像抽出工程と、前記モード設定手段による撮影モードの選択時に、サンプル画像を提示する提示工程とを具備する。
【０００８】
また、本発明は、被写体の光学像を光電変換して画像を撮影する撮影手段と、前記撮影手段により撮影した画像を記録する記録手段と、前記記録手段に記録された画像の中から任意の画像を選択する選択手段と、前記選択手段により選択された画像を撮影モードに対応するサンプル画像として登録する登録手段とを具備する。
【０００９】
また、本発明は、被写体の光学像を光電変換して画像を撮影する撮影手段と、前記撮影手段により撮影した画像を記録する記録手段とを備える画像処理装置の制御方法であって、前記記録手段に記録された画像の中から任意の画像を選択する選択工程と、前記選択工程にて選択された画像を撮影モードに対応するサンプル画像として登録する登録工程とを備える。
【発明の効果】
【００１０】
本発明によれば、サンプル画像が、予め用意されたものではなく、ユーザーが撮影した画像から生成されるので、撮影モードが直感的に分かりやすくなる。
【発明を実施するための最良の形態】
【００１１】
以下に、添付図面を参照して本発明の好適な実施形態について詳細に説明する。
【００１２】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００１３】
［装置の説明］
図１は、本発明に係る実施形態の電子カメラの構成を示す図である。
【００１４】
図１において、１００は電子カメラ等に代表される画像処理装置である。
【００１５】
１０は撮影レンズ、１２は絞り機能を備えるシャッター、１４は被写体の光学像を電気信号に変換する撮像素子、１６は撮像素子１４のアナログ信号出力をディジタル信号に変換するＡ／Ｄ変換部である。
【００１６】
１８は撮像素子１４、Ａ／Ｄ変換部１６、Ｄ／Ａ変換部２６にクロック信号や制御信号を供給するタイミング発生部であり、メモリ制御部２２及びシステム制御部５０により制御される。
【００１７】
２０は画像処理部であり、Ａ／Ｄ変換部１６からのデータ或いはメモリ制御部２２からのデータに対して所定の画素補間処理や色変換処理を行う。
【００１８】
また、画像処理部２０においては、撮像した画像データを用いて所定の演算処理を行い、得られた演算結果に基づいてシステム制御部５０が露光制御部４０、測距制御部４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１９】
さらに、画像処理部２０においては、撮像した画像データを用いて所定の演算処理を行い、得られた演算結果に基づいてＴＴＬ方式のＡＷＢ（オートホワイトバランス）処理も行っている。
【００２０】
２２はメモリ制御部であり、Ａ／Ｄ変換部１６、タイミング発生部１８、画像処理部２０、画像表示メモリ２４、Ｄ／Ａ変換部２６、メモリ３０、圧縮・伸長部３２を制御する。
【００２１】
Ａ／Ｄ変換部１６のデータが画像処理部２０、メモリ制御部２２を介して、或いはＡ／Ｄ変換部１６のデータが直接メモリ制御部２２を介して、画像表示メモリ２４或いはメモリ３０に書き込まれる。
【００２２】
２４は画像表示メモリ、２６はＤ／Ａ変換部、２８はＴＦＴ ＬＣＤ等から成る画像表示部であり、画像表示メモリ２４に書き込まれた表示用の画像データはＤ／Ａ変換部２６を介して画像表示部２８により表示される。
【００２３】
画像表示部２８を用いて撮像した画像データを逐次表示すれば、電子ファインダー機能を実現することが可能である。
【００２４】
また、画像表示部２８は、システム制御部５０からの指示により任意に表示をＯＮ／ＯＦＦすることが可能であり、表示をＯＦＦにした場合には画像処理装置１００の電力消費を大幅に低減することができる。
【００２５】
３０は撮影した静止画像や動画像を格納するためのメモリであり、所定枚数の静止画像や所定時間の動画像を格納するのに十分な記憶量を備えている。
【００２６】
これにより、複数枚の静止画像を連続して撮影する連射撮影やパノラマ撮影の場合にも、高速かつ大量の画像書き込みをメモリ３０に対して行うことが可能となる。
【００２７】
また、メモリ３０はシステム制御部５０の作業領域としても使用することが可能である。
【００２８】
３２は適応離散コサイン変換（ＡＤＣＴ）等により画像データを圧縮伸長する圧縮・伸長部であり、メモリ３０に格納された画像を読み込んで圧縮処理或いは伸長処理を行い、処理を終えたデータをメモリ３０に書き込む。
【００２９】
４０は絞り機能を備えるシャッター１２を制御する露光制御部であり、フラッシュ４８と連携することによりフラッシュ調光機能も有するものである。
【００３０】
４２は撮影レンズ１０のフォーカシングを制御する測距制御部、４４は撮影レンズ１０のズーミングを制御するズーム制御部、４６はバリアである保護部１０２の動作を制御するバリア制御部である。
【００３１】
４８はフラッシュであり、ＡＦ補助光の投光機能、フラッシュ調光機能も有する。
【００３２】
露光制御部４０、測距制御部４２はＴＴＬ方式を用いて制御されており、撮像した画像データを画像処理部２０によって演算した演算結果に基づき、システム制御部５０が露光制御部４０、測距制御部４２に対して制御を行う。
【００３３】
５０は画像処理装置１００全体を制御するシステム制御部、５２はシステム制御部５０の動作用の定数、変数、プログラム等を記憶するメモリである。
【００３４】
５４はシステム制御部５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００３５】
また、表示部５４は、その一部の機能が光学ファインダー１０４内に設置されている。
【００３６】
表示部５４の表示内容のうち、ＬＣＤ等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、日付け・時刻表示、等がある。
【００３７】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００３８】
５６は電気的に消去・記録可能な不揮発性メモリであり、例えばＥＥＰＲＯＭ等が用いられる。
【００３９】
６０、６２、６４、６６、６８及び７０は、システム制御部５０の各種の動作指示を入力するための操作部であり、スイッチやダイアル、タッチパネル、視線検知によるポインティング、音声認識装置等の単数或いは複数の組み合わせで構成される。
【００４０】
６８は、サンプル画像の登録を指示するためのサンプル画像登録キーである。
【００４１】
ここで、これらの操作部の具体的な説明を行う。
【００４２】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することができる。
【００４３】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４４】
６４はシャッタースイッチＳＷ２で、不図示のシャッターボタンの操作完了でＯＮとなり、撮像素子１２から読み出した信号をＡ／Ｄ変換部１６、メモリ制御部２２を介してメモリ３０に画像データを書き込む露光処理、画像処理部２０やメモリ制御部２２での演算を用いた現像処理、メモリ３０から画像データを読み出し、圧縮・伸長部３２で圧縮を行い、記録媒体２００或いは２１０に画像データを書き込む記録処理という一連の処理の動作開始を指示する。
【００４５】
６６は画像送りキーである。７２は、後述のサンプル画像自動登録処理（図９）を指示するためのサンプル画像自動登録キーである。
【００４６】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン等がある。
【００４７】
８０は電源制御部で、電池検出部、ＤＣ−ＤＣコンバータ、通電するブロックを切り替えるスイッチ回路等により構成されており、電池の装着の有無、電池の種類、電池残量の検出を行い、検出結果及びシステム制御部５０の指示に基づいてＤＣ−ＤＣコンバータを制御し、必要な電圧を必要な期間、記録媒体を含む各部へ供給する。
【００４８】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源部である。
【００４９】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知部である。
【００５０】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。インターフェース及びコネクタとしては、ＰＣＭＣＩＡカードやＣＦ（コンパクトフラッシュ（登録商標））カード等の規格に準拠したものを用いて構成して構わない。
【００５１】
さらに、インターフェース９０及び９４、そしてコネクタ９２及び９６をＰＣＭＣＩＡカードやＣＦカード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００５２】
１０２は、画像処理装置１００のレンズ１０を含む撮像部を覆うことにより、撮像部の汚れや破損を防止するバリアである保護部である。
【００５３】
１０４は光学ファインダーであり、画像表示部２８による電子ファインダー機能を使用せずに、光学ファインダーのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００５４】
２００はメモリカードやハードディスク等の記録媒体である。
【００５５】
記録媒体２００は、半導体メモリや磁気ディスク等から構成される記録部２０２、画像処理装置１００とのインターフェース２０４、画像処理装置１００と接続を行うコネクタ２０６を備えている。
【００５６】
２１０はメモリカードやハードディスク等の記録媒体である。
【００５７】
記録媒体２１０は、半導体メモリや磁気ディスク等から構成される記録部２１２、画像処理装置１００とのインターフェース２１４、画像処理装置１００と接続を行うコネクタ２１６を備えている。
【００５８】
［動作説明］
以下に、図２〜図７を参照して、本実施形態の画像処理装置の動作について説明する。
【００５９】
先ず、図２及び図３を参照して画像処理装置１００の全体的な動作を説明する。
【００６０】
電池交換等の電源投入により、システム制御部５０はフラグや制御変数等を初期化して（Ｓ１０１）、不揮発性メモリ５６から起動画面を読み出して、画像表示部２８に起動画面を表示させる（Ｓ１０２）。
【００６１】
システム制御部５０は、モードダイアル６０の設定位置を判断し、モードダイアル６０が電源ＯＦＦに設定されていたならば（Ｓ１０３）、各表示部の表示を終了状態に変更し、保護部１０２のバリアを閉じて撮像部を保護し、フラグや制御変数等を含む必要なパラメータや設定値、設定モードを不揮発性メモリ５６に記録し、電源制御部８０により画像表示部２８を含む画像処理装置１００各部の不要な電源を遮断する等の所定の終了処理を行った後（Ｓ１０５）にサンプル画像更新処理（Ｓ１１２）を行ってから終了する。
【００６２】
モードダイアル６０がカメラモードに設定されていたならば（Ｓ１０３）、Ｓ１０６に進む。
【００６３】
モードダイアル６０がその他のモードに設定されていたならば（Ｓ１０３）、システム制御部５０は選択されたモードに応じた処理を実行し（Ｓ１０４）、処理を終えたならばＳ１０３に戻る。
【００６４】
システム制御部５０は、電源制御部８０により電池等により構成される電源部８６の残容量や動作情況が画像処理装置１００の動作に問題があるか否かを判断し（Ｓ１０６）、問題があるならば表示部５４を用いて画像や音声により所定の警告表示を行った後に（Ｓ１０８）、Ｓ１０３に戻る。
【００６５】
本発明の特徴の１つである、Ｓ１１２のサンプル画像自動登録処理の詳細は図９を用いて後述する。
電源部８６に問題が無いならば（Ｓ１０６）、システム制御部５０は記録媒体２００或いは２１０の動作状態が画像処理装置１００の動作、特に記録媒体に対する画像データの記録再生動作に問題があるか否かを判断し（Ｓ１０７）、問題があるならば表示部５４を用いて画像や音声により所定の警告表示を行った後に（Ｓ１０８）、Ｓ１０３に戻る。
【００６６】
記録媒体２００或いは２１０の動作状態に問題が無いならば（Ｓ１０７）、サンプル画像自動登録キーの状態を確認し（Ｓ１０９）、キーが設定されている状態ならばメモリ３０にサンプル画像自動登録設定状態を記憶し、次に撮影モードが設定されているかを確認し（Ｓ１１０）、撮影モード設定時であればＳ１１１の処理に進み、再生モード設定時であれば図７のＳ７０１の処理へ進む。
【００６７】
ここで、撮影モードが設定されている場合について説明する。
【００６８】
撮像した画像データを逐次表示するスルー表示状態に設定して（Ｓ１１１）、図３のＳ１２１に進む。
【００６９】
スルー表示状態においては、撮像素子１２、Ａ／Ｄ変換部１６、画像処理部２０、メモリ制御部２２を介して、画像表示メモリ２４に逐次書き込まれたデータを、メモリ制御部２２、Ｄ／Ａ変換部２６を介して画像表示部２８により逐次表示することにより、電子ファインダー機能を実現している。
【００７０】
システム制御部５０は、Ｓ１２１で撮影モード選択の指示が行われているかを確認し、指示が行われている場合は撮影モード選択処理Ｓ１２２を行い、撮影モード選択指示が行われていなければ、Ｓ１２３に進む。
【００７１】
Ｓ１２２の撮影モード選択処理の詳細は図１０を用いて後述する。
シャッタースイッチＳＷ１が押されていないならば（Ｓ１２３）、図２のＳ１０３に戻る。一方、シャッタースイッチＳＷ１が押されたならば（Ｓ１２３）、Ｓ１２４に進む。
【００７２】
システム制御部５０は、測距処理を行って撮影レンズ１０の焦点を被写体に合わせ、測光処理を行って絞り値及びシャッター時間を決定する（Ｓ１２４）。測光処理において、必要であればフラッシュの設定も行う。
【００７３】
Ｓ１２４の測距・測光処理の詳細は図４を用いて後述する。
【００７４】
Ｓ１２４の測距・測光処理を終えたならば、Ｓ１２５に進む。
【００７５】
シャッタースイッチＳＷ２が押されずに（Ｓ１２５）、さらにシャッタースイッチＳＷ１も解除されたならば（Ｓ１２６）、Ｓ１０３に戻る。
【００７６】
一方、シャッタースイッチＳＷ２が押されたならば（Ｓ１２５）、Ｓ１２７に進む。
【００７７】
システム制御部５０は、撮像素子１２、Ａ／Ｄ変換部１６、画像処理部２０、メモリ制御部２２を介して、或いはＡ／Ｄ変換部から直接メモリ制御部２２を介して、メモリ３０に撮影した画像データを書き込む露光処理、及び、メモリ制御部２２そして必要に応じて画像処理部２０を用いて、メモリ３０に書き込まれた画像データを読み出して各種処理を行う現像処理からなる撮影処理を実行する（Ｓ１２７）。
【００７８】
Ｓ１２７の撮影処理の詳細は図５を用いて後述する。
【００７９】
システム制御部５０は撮影処理（Ｓ１２７）が終わったならば、記録処理（Ｓ１２８）に進む。
【００８０】
システム制御部５０は、メモリ３０に書き込まれた撮影画像データを読み出して、メモリ制御部２２その他必要に応じて画像処理部２０を用いて各種画像処理を行い、また、圧縮・伸長部３２を用いて設定したモードに応じた画像圧縮処理を行った後、記録媒体２００或いは２１０へ画像データの書き込みを行う記録処理を実行する（Ｓ１２８）。
【００８１】
Ｓ１２８の記録処理の詳細は図６を用いて後述する。
【００８２】
Ｓ１２８で記録処理が終了したならば、Ｓ１２９に進む。
【００８３】
シャッタースイッチＳＷ２が解除されたならば（Ｓ１２９）、システム制御部５０は一連の撮影動作を終えてＳ１０３に戻る。
【００８４】
一方、シャッタースイッチＳＷ２が押されたままであれば（Ｓ１２９）、Ｓ１３０に進む。
【００８５】
Ｓ１３０で連写モードに設定されたならばＳ１２７に戻って連写撮影を実施し、連写モードでなければ、シャッタースイッチＳＷ２が解除されるのを待って、Ｓ１０３に戻る。
【００８６】
［測距・測光処理］
図４は、図３のＳ１２４における測距・測光処理の詳細なフローチャートを示す。
【００８７】
システム制御部５０は、撮像素子１４から電荷信号を読み出し、Ａ／Ｄ変換部１６を介して画像処理部２０に撮影画像データを逐次読み込む（Ｓ２０１）。この逐次読み込まれた画像データを用いて、画像処理部２０はＴＴＬ（スルー・ザ・レンズ）方式のＡＥ（自動露出）処理、ＥＦ（フラッシュプリ発光）処理、ＡＦ（オートフォーカス）処理に用いる所定の演算を行っている。
【００８８】
なお、ここでの各処理は、撮影した全画素数のうちの必要に応じた特定の部分を必要個所分切り取って抽出し、演算に用いている。これにより、ＴＴＬ方式のＡＥ，ＥＦ，ＡＷＢ，ＡＦの各処理において、中央重点モード、平均モード、評価モードの各モード等の異なるモード毎に最適な演算を行うことが可能となる。
【００８９】
画像処理部２０での演算結果を用いて、システム制御部５０は露出（ＡＥ）が適正と判断されるまで（Ｓ２０２）、露光制御部４０を用いてＡＥ制御を行う（Ｓ２０３）。
【００９０】
ＡＥ制御で得られた測定データを用いて、システム制御部５０はフラッシュが必要か否かを判断し（Ｓ２０４）、フラッシュが必要ならばフラッシュフラグをセットし、フラッシュ４８を充電する（Ｓ２０５）。
【００９１】
露出（ＡＥ）が適正と判断したならば（Ｓ２０２）、測定データ及び或いは設定パラメータをシステム制御部５０の内部メモリ或いはメモリ５２に記憶する。
【００９２】
画像処理部２０での演算結果及びＡＥ制御で得られた測定データを用いて、システム制御部５０はホワイトバランス（ＡＷＢ）が適正と判断されるまで（Ｓ２０６）、画像処理部２０を用いて色処理のパラメータを調節してＡＷＢ制御を行う（Ｓ２０７）。
【００９３】
ホワイトバランス（ＡＷＢ）が適正と判断したならば（Ｓ２０６）、測定データ及び或いは設定パラメータをシステム制御部５０の内部メモリ或いはメモリ５２に記憶する。
【００９４】
ＡＥ制御及びＡＷＢ制御で得られた測定データを用いて、システム制御部５０は測距（ＡＦ）が合焦と判断されるまで（Ｓ２０８）、測距制御部４２を用いてＡＦ制御を行う（Ｓ２０９）。
【００９５】
測距（ＡＦ）が合焦と判断したならば（Ｓ２０８）、測定データ及び或いは設定パラメータをシステム制御部５０の内部メモリ或いはメモリ５２に記憶し、Ｓ１２４の測距・測光処理ルーチンを終了する。
【００９６】
［撮影処理］
図５は、図３のＳ１２７における撮影処理の詳細なフローチャートを示す。
【００９７】
システム制御部５０は、システム制御部５０の内部メモリ或いはメモリ５２に記憶される測光データに従い、露光制御部４０によって、絞り機能を有するシャッター１２を絞り値に応じて開放して撮像素子１０を露光する（Ｓ３０１、Ｓ３０２）。
【００９８】
フラッシュ・フラグによりフラッシュ４８が必要か否かを判断し（Ｓ３０３）、必要な場合はフラッシュを発光させる（Ｓ３０４）。
【００９９】
システム制御部５０は、測光データに従って撮像素子１２の露光終了を待ち（Ｓ３０５）、シャッター１２を閉じて（Ｓ３０６）、撮像素子１４から電荷信号を読み出し、Ａ／Ｄ変換部１６、画像処理部２０、メモリ制御部２２を介して、或いはＡ／Ｄ変換部１６から直接メモリ制御部２２を介して、メモリ３０に撮影画像のデータを書き込む（Ｓ３０７）。
【０１００】
設定された撮影モードに応じて、色処理（Ｓ３０８）を順次行った後、メモリ３０に処理を終えた画像データを書き込む。
【０１０１】
一連の処理を終えたならば、Ｓ１２７の撮影処理ルーチンを終了する。
【０１０２】
［記録処理］
図６は、図３のＳ１２８における記録処理の詳細なフローチャートを示す。
【０１０３】
システム制御部５０は、メモリ制御部２２を用いて、メモリ３０に書き込まれた画像データを読み出して、設定したモードに応じた画像圧縮処理を圧縮・伸長部３２にて行った後（Ｓ４０２）、インターフェース９０或いは９４、コネクタ９２或いは９６を介して、メモリカードやコンパクトフラッシュ（登録商標）カード等の記録媒体２００或いは２１０へ圧縮した画像データの書き込みを行う（Ｓ４０３）。
【０１０４】
記録媒体への書き込みが終わったならば、Ｓ１２８の記録処理ルーチンを終了する。
【０１０５】
［再生処理］
図７は、図２のＳ１１０における再生処理の詳細なフローチャートを示す。
【０１０６】
システム制御部５０は、カメラ起動後の最初の再生処理であるかを判断し（Ｓ７０１）、最初の再生モードであれば、最後に撮影された画像（撮影日時が最も新しい画像）を記録媒体２００から読み出し（Ｓ７０６）、Ｓ７０８へ進む。そして、カメラ起動後の最初の再生処理であることを示すフラグをクリアしてメモリ３０に記憶する。
一方、カメラ起動後の最初の再生処理でなければ画像送りキー６６の状態を確認し（Ｓ７０２）、押下されていればＳ７０３へ進み、押下されていなければＳ７１０へ進む。Ｓ７０３では押下されたキーが送りキーか戻りキーかを判断して、送りキーであれば現在表示されている画像の次に撮影された画像を記録媒体２００から読み出し（Ｓ７０４）、戻りキーであれば現在表示されている画像の直前に撮影された画像を記録媒体２００から読み出す（Ｓ７０５）。
Ｓ７０８ではシステム制御部５０は画像表示部２８により画像を表示して、サンプル画像登録６８キーの状態を確認し（Ｓ７０９）、Ｓ７１０でサンプル画像登録処理を行う。
【０１０７】
本発明の特徴の１つである、Ｓ７１０のサンプル画像登録処理の詳細は図８を用いて後述する。
Ｓ７１０のサンプル画像登録処理が終了したら、再生処理ルーチンを抜ける。
【０１０８】
［サンプル画像（マニュアル）登録処理］
図８は、図７のＳ７１０におけるサンプル画像（マニュアル）登録処理の詳細なフローチャートを示す。
【０１０９】
システム制御部５０はサンプル画像登録処理ルーチンに入ると、再生モードで選択された画像をサンプル画像に適したサイズにリサイズを行い（Ｓ８０１）、リサイズされた画像を不揮発性メモリ５６に記憶して（Ｓ８０２）、サンプル画像登録処理ルーチンを抜ける。
【０１１０】
［サンプル画像自動登録処理］
図９は、図２のＳ１１２におけるサンプル画像自動登録処理の詳細なフローチャートを示す。
【０１１１】
システム制御部５０はサンプル画像自動登録処理ルーチンに入ると、メモリ３０に記憶されたサンプル画像自動登録フラグの状態を判断し（Ｓ９１０）、自動登録フラグがオン状態であればＳ９０１に進み、自動登録フラグがオフ状態であれば、サンプル画像自動登録処理ルーチンを抜ける。
【０１１２】
Ｓ９０１では各モードのサンプル画像の更新を行うため、まず始めの第１のモード（例えば、ポートレートモード）として（Ｓ９０１）、記録媒体２００からＳ９０１で設定されたモードで撮影された画像を読み出し、その画像の中で最後に撮影された画像を検索する（Ｓ９０２）。そして、画像が見つかればサンプル画像に適したサイズにリサイズを行い（Ｓ９０３）、リサイズされたサンプル画像を不揮発性メモリ５６に記憶する（Ｓ９０４）。
【０１１３】
第１のモードでの登録処理が完了すると、次に登録すべき撮影モードがあるか判断し（Ｓ９０５）、次のモードが存在する場合、登録モードを次モード（例えば、風景モード）に設定し（Ｓ９０６）、Ｓ９０２からの処理を繰り返す。Ｓ９０５で全モードでのサンプル画像の抽出、登録が完了したと判断されたら、サンプル画像自動登録ルーチンを終了する。
【０１１４】
［撮影モード選択処理］
図１０は、図３のＳ１２２における撮影モード選択処理の詳細なフローチャートを示す。
【０１１５】
撮影モード選択処理に入ると、表示部５４のスルー画の表示を停止して（Ｓ１００１）、撮影モードを示すアイコンを表示部５４の画面下部に表示する（Ｓ１００２）。ユーザーはこのアイコンを選択して、所望の撮影モードを選択することになる。
【０１１６】
Ｓ１００３では、ユーザーが選択中の撮影モードに応じて不揮発性メモリ５６から登録されたサンプル画像を読み出して表示部５４の上部に表示させる。この登録されたサンプル画像を撮影モード選択画面に表示させることで、ユーザーは選択中の撮影モードがどういうシーンで使用すれば良いのかが判別しやすくなる。また画面中央部には、選択中の撮影モードで撮影された記録媒体２００の画像を読み出し、図１１のように一覧表示を行う（Ｓ１００４）。これにより選択された画像以外にもサンプル画像として表示されるので、分かりやすさを増大することができる。
【０１１７】
Ｓ１００５ではキーの状態を確認し、送りキーが押されたならば選択中のモードを次のモードに設定して（Ｓ１００６）サンプル画像の表示（Ｓ１００３）へ戻り、戻りキーが押されたならば選択中のモードを前のモードに設定して（Ｓ１００７）サンプル画像の表示（Ｓ１００３）へ戻り、決定キーが押されていたならば現在選択中の撮影モードに設定して（Ｓ１００８）、サンプル画像登録処理を抜ける。
【０１１８】
図１１は、図９のＳ１００４での一覧表示画面を示した図である。
【０１１９】
例えば、表示画面中の下部に撮影モードとして選択可能なモードを示すアイコン１１０１を表示し、その上に現在選択しているアイコンが示す撮影モードを文字列１１０２で表示する。さらにその上にはサンプル画像としては未登録であるが、現在選択されている撮影モードで撮影された画像１１０３を記録媒体から読み出して一覧表示している。そのモードで撮影された画像がなければ、何も表示されない。そして最上部にはサンプル画像として登録された画像１１０４を表示する。
【０１２０】
本実施形態によれば、サンプル画像が、予め用意されたものではなく、ユーザーが撮影した画像から生成されるので、撮影モードが直感的に分かりやすくなる。
【０１２１】
また、サンプル画像はユーザー自身が選択する方法（Ｓ７１０）と、装置が自動的に抽出し登録を行う方法（Ｓ１１２）のいずれかを選択できる。
【０１２２】
以上の実施形態では、サンプル画像を選択する条件として、そのモードで最後に撮影された画像（撮影日時が最も新しい画像）としたが、それ以外にもプリント指定された画像やＰＣに転送を行った画像、拡大再生をした画像、再生時間が長かった画像などを条件としても良い。
【０１２３】
本実施形態は、前述した実施形態の機能を実現するソフトウェアのプログラムコードを記録したコンピュータ読み取り可能な記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによって、達成することができる。この場合、記録媒体から読み出されたプログラムコード自体が前述した実施形態の機能を実現することになり、そのプログラムコードを記録した記録媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１２４】
さらに、記録媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１２５】
本実施形態を上記記録媒体に適用する場合、その記録媒体には、先に説明したフローチャートに対応するプログラムコードが格納されることになる。
【０１２６】
尚、本実施形態は、複数の機器（例えば、ホストコンピューター、インターフェース機器、リーダー、プリンタ等）から構成されるシステムに適用しても、一つの機器からなる装置（例えば、複写機、ファクシミリ装置等）に適用してもよい。
【図面の簡単な説明】
【０１２７】
【図１】本発明に係る実施形態の電子カメラの構成を示す図である。
【図２】装置全体の動作を示すフローチャートである。
【図３】装置全体の動作を示すフローチャートである。
【図４】図３のＳ１２４における測距・測光処理を示すフローチャートである。
【図５】図３のＳ１２７における撮影処理を示すフローチャートである。
【図６】図３のＳ１２８における記録処理を示すフローチャートである。
【図７】図２のＳ１１０における再生処理を示すフローチャートである。
【図８】図７のＳ７１０におけるサンプル画像登録処理を示すフローチャートである。
【図９】図２のＳ１１２のサンプル画像自動登録処理を示すフローチャートである。
【図１０】図３のＳ１２２における撮影モード選択処理を示すフローチャートである。
【図１１】図９のＳ１００４での一覧表示画面を示した図である。
【符号の説明】
【０１２８】
１０：撮影レンズ
１２：シャッター
１４：撮像素子
１６：Ａ／Ｄ変換部
１８：タイミング発生部
２０：画像処理部
２２：メモリ制御部
２４：画像表示メモリ
２６：Ｄ／Ａ変換部
２８：画像表示部
３０：メモリ
３２：画像圧縮・伸長部
４０：露光制御部
４２：測距制御部
４４：ズーム制御部
４６：バリア制御部
４８：フラッシュ
５０：システム制御部
５２：メモリ
５４：表示部
５６：不揮発性メモリ
６０：モードダイアルスイッチ
６２：シャッタースイッチＳＷ１
６４：シャッタースイッチＳＷ２
６６：画像送りキー
６８：サンプル画像登録キー
７０：操作部
７２：サンプル画像自動登録キー
８０：電源制御部
８２：コネクタ
８４：コネクタ
８６：電源部
９０：インターフェース
９２：コネクタ
９４：インターフェース
９６：コネクタ
９８：記録媒体着脱検知部
１００：画像処理装置
１０２：保護部
１０４：光学ファインダー
２００：記録媒体
２０２：記録部
２０４：インターフェース
２０６：コネクタ
２１０：記録媒体
２１２：記録部
２１４：インターフェース
２１６：コネクタ
【図１】
2006245798.tif 000003
【図２】
2006245798.tif 000004
【図３】
2006245798.tif 000005
【図４】
2006245798.tif 000006
【図５】
2006245798.tif 000007
【図６】
2006245798.tif 000008
【図７】
2006245798.tif 000009
【図８】
2006245798.tif 000010
【図９】
2006245798.tif 000011
【図１０】
2006245798.tif 000012
【図１１】
2006245798.tif 000013